(57)【要約】  高周波（ＲＦ）及び／またはマイクロ波エネルギーを生体組織に送達するための電気手術器具は、侵襲的電気手術を実施する治療部位の画像を取得するためにも構成される。一態様では、本発明は、電気手術用のエネルギーも伝達するケーブルの遠位端部に、チップベースのイメージセンサを提供する。別の態様では、発光素子及び感光素子の両方は、手術用スコーピングデバイスの器具チャネルを通した挿入のためにプローブの遠位端部に取り付けられることによって、電気信号から光放射への遷移、そして電気信号への戻りが遠位端部で起こるため、光信号は、スコーピングデバイスを介して伝達される必要がない。
2021532887.tif 000002
【特許請求の範囲】
【請求項１】
高周波（ＲＦ）エネルギー及び／またはマイクロ波エネルギーを生体組織に送達する電気手術器具であって、
前記高周波（ＲＦ）エネルギー及び／または前記マイクロ波エネルギーを伝達するための同軸ケーブルであって、前記同軸ケーブルは内部導体、前記内部導体と同軸に形成される外部導体、ならびに前記内部導体及び前記外部導体を分離させる第一誘電材料を含む、前記同軸ケーブルと、
前記同軸ケーブルから前記ＲＦエネルギー及び／または前記マイクロ波エネルギーを受信するために前記同軸ケーブルの遠位端部に配置される放射先端部と、
治療部位のデジタル画像を生成するために前記同軸ケーブルの前記遠位端部に配置されるイメージセンサと、
を含む、前記電気手術器具。
【請求項２】
前記イメージセンサは、撮像ケーブルの遠位端部に取り付けられる、請求項１に記載の電気手術器具。
【請求項３】
前記イメージセンサは、相補型金属酸化物半導体（ＣＭＯＳ）イメージセンサである、請求項１または請求項２に記載の電気手術器具。
【請求項４】
前記撮像ケーブルは、治療部位に照明を提供するための光ファイバ束を含む、請求項２または請求項３に記載の電気手術器具。
【請求項５】
前記撮像ケーブルの前記遠位端部に取り付けられる光源をさらに含む、請求項２または請求項３に記載の電気手術器具。
【請求項６】
前記光源は発光ダイオードを含む、請求項５に記載の電気手術器具。
【請求項７】
前記同軸ケーブルの前記内部導体は、光学チャネルを形成するために中空であり、
前記撮像ケーブルは、前記光学チャネル内に位置している、請求項２から請求項６のいずれか１項に記載の電気手術器具。
【請求項８】
前記光学チャネルは、前記放射先端部内の孔部を通って延在する、請求項７に記載の電気手術器具。
【請求項９】
前記光学チャネルは、前記放射先端部の外面に形成されるアパーチャで終端する、請求項８に記載の電気手術器具。
【請求項１０】
前記同軸ケーブル及び前記撮像ケーブルを搬送するための器具ケーブルを含み、
前記器具ケーブルは前記同軸ケーブルを搬送するための作業チャネルを含む、請求項２から請求項６のいずれか１項に記載の電気手術器具。
【請求項１１】
前記器具ケーブルは、前記撮像ケーブルを搬送するための光学チャネルを含み、
前記光学チャネルは、前記作業チャネルに隣接して延伸する、請求項１０に記載の電気手術器具。
【請求項１２】
前記電気手術器具は、ハンドピースをさらに含み、
前記同軸ケーブル及び前記撮像ケーブルは、前記ハンドピースに接続され、前記ハンドピースから離れて延伸する、請求項２から請求項１７のいずれか１項に記載の電気手術器具。
【請求項１３】
前記同軸ケーブル及び／または前記撮像ケーブルは、前記ハンドピースから係脱可能である、請求項１２に記載の電気手術器具。
【請求項１４】
前記ハンドピースは、前記デジタル画像に関する情報をリモートデバイスに通信するように構成される通信モジュールを含む、請求項１２または請求項１３に記載の電気手術器具。
【請求項１５】
前記通信モジュールは、無線ネットワークに通信可能に接続可能であるトランシーバを含む、請求項１４に記載の電気手術器具。
【請求項１６】
前記通信モジュールは、画像データをリモートサーバにアップロードするように構成される、請求項１４または請求項１５に記載の電気手術器具。
【請求項１７】
請求項１４から請求項１６のいずれか１項に記載の電気手術器具と、
前記デジタル画像に関する前記情報を受信して表示するように構成される表示装置と、
を含む、電気手術装置。
【請求項１８】
ＲＦ  ＥＭエネルギー及び／またはマイクロ波ＥＭエネルギーを発生するように構成される電気手術用発生器、及び
請求項１から請求項１７のいずれか１項に記載の電気手術器具、
を含む、電気手術システムであって、
前記電気手術器具は前記ＲＦ  ＥＭエネルギー及び／または前記マイクロ波ＥＭエネルギーを受信し、それを前記同軸ケーブルにカップリングするために前記発生器に接続される、前記電気手術システム。
【発明の詳細な説明】
【技術分野】
【０００１】
本発明は、電気手術器具の遠位端部に照明及び視覚を提供するためのデバイスに関する。
【背景技術】
【０００２】
従来の手術用スコーピングデバイスは、カテーテルまたは自然孔を介して患者の体内の治療部位に操作されることができる挿入チューブを含む。挿入チューブは、コンポーネントを治療部位に搬送する。いくつかの例では、挿入チューブは、照明信号を伝達し、撮像信号を返すための観測チャネルと、治療部位で組織を操作する、またはその他の方法で治療するための器具を搬送するための別個の器具チャネルとを含む。治療中に治療部位のリアルタイムの視覚を有することが望ましい場合がある。
【０００３】
電気手術器具は、生体組織を切断する、または血液を凝固させるなどの目的で、高周波及び／またはマイクロ波周波数エネルギーを生体組織に送達するために使用される器具である。高周波及び／またはマイクロ波周波数エネルギーは、ケーブルを使用して電気手術器具に一般に供給される。この目的で使用される従来のケーブルは、中実またはマルチワイヤの円筒形内部導体、内部導体の周りの誘電材料の管状層、及び誘電材料の周りの管状外部導体を含む同軸伝送線路構造を有する。
【０００４】
多くの電気手術器具を操作する場合、１つの液体もしくは気体の供給、複数の液体もしくは気体、または電気手術器具の部品（複数可）を操作する（例えば、開く／閉じる、回転させる、または伸長させる／引き込む）ためのガイドワイヤもしくはプルワイヤのような、追加の補給またはコンポーネント（例えば、制御手段）を電気手術器具に提供する必要があるのが一般的である。
【０００５】
これらの追加の補給またはコンポーネントを電気手術器具に提供するために、追加の構造体は、従来のケーブルに隣接する追加のチューブのように、従来のケーブルと合わせて提供されている。例えば、従来のケーブルと並んで電気手術器具用のプルワイヤを収容する追加のチューブを提供すること、そして従来のケーブルと、プルワイヤを収容するチューブとを単一の保護ジャケット／ケーシング内に収容することが知られている。
【発明の概要】
【発明が解決しようとする課題】
【０００６】
一般に、手術用スコーピングデバイス（例えば、内視鏡または腹腔鏡）の器具チャネルの直径は、３ｍｍ未満、例えば、２．８ｍｍである。可撓性を維持し、電力損失を許容可能な（すなわち、安全な）レベルに制限しながら、十分な電力、及び上記の追加の補給またはコンポーネントの両方を、器具チャネル内に嵌合するほどコンパクトな形態で提供することは継続的な課題である。
【課題を解決するための手段】
【０００７】
最も一般的には、本発明は、侵襲的電気手術を実施する治療部位の画像を取得するために改良されたシステムを提案する。一態様では、本発明は、電気手術用のエネルギーも伝達するケーブルの遠位端部に、チップベースのイメージセンサを提供する。別の態様では、発光素子及び感光素子の両方は、手術用スコーピングデバイスの器具チャネルを通した挿入のためにプローブの遠位端部に取り付けられることによって、電気信号から光放射への遷移、そして電気信号への戻りが遠位端部で起こるため、光信号は、スコーピングデバイスを介して伝達される必要がない。
【０００８】
本発明の利点は、臨床医が治療を必要とする組織領域をより良く識別することを可能にし、臨床医が治療をより正確に実施することを可能にする、鮮明な画像の伝送を有する。
【０００９】
本発明の特定の実施形態は、組織治療（例えば、焼灼、凝固または切断）のためのＲＦ及び／またはマイクロ波周波数電磁放射の組み合わされた送達と、手術用スコーピングデバイスの撮像ケーブルを形成することができる共通構造体内に治療部位のデジタル画像の伝送とを提案する。共通構造体は、電気手術治療を視覚化することが望ましいシステムに対して、よりコンパクトな配置を提供する。
【００１０】
いくつかの実施形態では、それは、撮像または他の形態の検知が専用の観測チャネルなしで手術用スコーピングデバイスに利用可能であることを可能にすることができる。さらに、それは、従来の器具にアクセスできない領域での電気手術治療の可能性を広げる極小径手術用スコーピングデバイスの提供を可能にすることができる。
【００１１】
本明細書で使用される「光放射」という用語は、１００ｎｍから１ｍｍの範囲内の自由空間波長を有する電磁放射に関することができる。いくつかの実施形態では、光放射は、可視スペクトルにあり、治療部位を照明して操作者に視覚的支援を提供するために使用されることができる。例えば白色光源からの、光放射は広帯域であることができる。他の例では、光放射は、狭帯域であることができる、またはある特定の組織特性を検出する、もしくは探索するために特定の波長を有することができる。
【００１２】
本発明によれば、高周波（ＲＦ）及び／またはマイクロ波エネルギーを生体組織に送達するために電気手術器具が提供され、この電気手術器具は、高周波（ＲＦ）及び／またはマイクロ波エネルギーを伝達するための同軸ケーブルであって、この同軸ケーブルが内部導体、内部導体と同軸に形成される外部導体、ならびに内部導体及び外部導体を分離させる第一誘電材料を含む、同軸ケーブルと、ＲＦ及び／またはマイクロ波エネルギーを同軸ケーブルから受信するために同軸ケーブルの遠位端部に配置される放射先端部と、治療部位のデジタル画像を生成するために同軸ケーブルの遠位端部に配置されるイメージセンサと、を含む。
【００１３】
このようにして、本発明は、治療部位の直視を可能にして臨床医が手術領域内の組織をより正確に見て治療することを可能にしたうえ、放射先端部による治療のためのＲＦ及び／またはマイクロ波エネルギーを提供する。放射先端部は、腹腔鏡、気管支鏡などのような手術用スコーピングデバイスを介して治療部位に搬送されることができる。
【００１４】
好ましくは、イメージセンサは、撮像ケーブルの遠位端部に取り付けられる。以下でより詳細に説明されるように、いくつかの実施形態では同軸ケーブルが撮像ケーブルを通って、もしくは撮像ケーブルと並んで延伸することができる、または他の実施形態では撮像ケーブルが同軸ケーブルを通って延伸することができることが想定される。これらの配置は、特に、コンパクトな視覚及び電気手術治療の組み合わせ装置を可能にする。特に、この組み合わせ装置は、侵襲的手術用スコーピングデバイスの可撓性挿入チューブ内に挿入可能な寸法に形成されることができる。例えば、それは、３．５ｍｍ以下、好ましくは２．８ｍｍ以下の最大外径を有することができる。本明細書では、「手術用スコーピングデバイス」という用語は、低侵襲手技で使用されるデバイスのクラスを指す総称として理解されることができ、このデバイスは、患者の体内に挿入可能な剛性または可撓性の器具コードを一般に含む。器具コードは、さまざまな理由で治療部位へのアクセスを提供するために、例えば、外科手技を実施する、目視検査を実施する、または画像をキャプチャする、生検を行うなどのために使用される。手術用スコーピングデバイスの例は、内視鏡、気管支鏡、腹腔鏡などを含む。
【００１５】
イメージセンサは、デジタルカメラのような、任意の適切な種類のチップベースのイメージセンサであることができる。例えば、イメージセンサは、電荷結合素子（ＣＣＤ）であることができる。好ましくは、イメージセンサは、治療部位のデジタル画像をキャプチャするために相補型金属酸化物半導体（ＣＭＯＳ）センサである。特に、ＣＭＯＳは、４０キロピクセルを有することができ、好ましくは１ｍｍ２以下の面積を有することができる。このようなセンサは、臨床医に高品質の画像を提供することができるが、小さなセンサ面積は、デバイスが手術用スコーピングデバイスを介して挿入可能であることを確保する。
【００１６】
好ましくは、撮像ケーブルは、光放射を伝達して治療部位を照明する手段をさらに含む。次に、イメージセンサは、光放射を検出して、治療部位の高品質デジタル画像を提供することができる。
【００１７】
例えば、撮像ケーブルは、光ファイバ束を含むことができ、この光ファイバ束を通して、光放射を電気手術器具の近位端部から伝送することができる。光ファイバが使用される場合、電気手術器具は、撮像ケーブルの近位端部にカプラをも含み、このカプラは、光放射を光ファイバにカップリングし、治療部位で電気手術器具の遠位端部に送達することができる。
【００１８】
他の例では、電気手術器具は、撮像ケーブルの遠位端部に取り付けられる光源を含むことができる。例えば、光源は、発光ダイオード（ＬＥＤ）であることができる。ＬＥＤは、広い発光スペクトルを有することができ、例えば、それは、撮像のために白色光を発するように構成されることができる、またはＬＥＤは、狭帯域で発光するように構成されることができる。例えば、ＬＥＤは狭い発光スペクトルを有することができる、またはフィルタは狭いスペクトルを提供するために使用されることができる。これらの配置では、撮像ケーブルは、電気信号（例えば、光源用の電力、及びイメージセンサからのデータ）のみを伝達するように有利に配置されることができる。電気信号のみを伝達することにより、撮像ケーブルは、照明または撮像の目的で光放射を伝達する必要がない。これにより、特に電気信号を搬送するために使用されるワイヤが、光放射を伝達するために使用される光ファイバよりも小さい直径を有することができるため、撮像ケーブルを非常にコンパクトにすることを可能にすることができる。
【００１９】
いくつかの実施形態では、同軸ケーブルの内部導体は光学チャネルを形成するために中空であることができ、撮像ケーブルは光学チャネル内に位置していることができる。同軸ケーブルは、内部導電層と光学チャネルとの間に最内絶縁層を含むことができる。あるいは、光ファイバ束は、リングを形成し、同軸ケーブルの最内絶縁層を効果的に提供することができる。最内絶縁層は、光学チャネルと同軸伝送線路との間の干渉を防ぐことができる。好ましくは、同軸ケーブルは、手術用スコーピングデバイスを通して挿入されるときに同軸ケーブルを保護するために、外部導体の外面上に保護シースを含むことができる。保護シースは、生体適合性材料から作製されることができる、または生体適合性コーティングを含むことができる。保護シースは、電気手術器具の操舵性の一助となることができる。例えば、保護シースは、遠位部及び近位部を含むことができ、近位部は遠位部よりも大きな剛性を有するように構成される。近位部は、屈曲または変形を妨げるように、追加の硬化層またはブレード加工を含むことができる。
【００２０】
好ましくは、光学チャネルは、放射先端部内の孔部を通り延在する。いくつかの例では、光学チャネルは、放射先端部の外面に形成されるアパーチャで終端することができる。これにより、臨床医に治療部位の正確かつ有用なビューを提供することを確保することができる。
【００２１】
他の実施形態では、電気手術器具は、同軸ケーブル及び撮像ケーブルを搬送するための器具ケーブルを含むことができ、この器具ケーブルは、同軸ケーブルを搬送するための作業チャネルを含む。したがって、光学チャネルは、作業チャネル内に入れ子にされることができる。そのような配置は、上記で考察される利点をも提供し、特に、視覚及び組織治療の組み合わせ機能を有する極小径の電気手術器具の提供を可能にする。ただし、他の例では、器具ケーブルは、撮像ケーブルを搬送するために別個の光学チャネルを含むことができ、この光学チャネルは、作業チャネルに隣接して延伸する。
【００２２】
いくつかの実施形態では、光源及びイメージセンサは、器具ケーブルの遠位端部に係脱可能に取り付けられることができる。例えば、光源及びイメージセンサは、それ自体が作業チャネル及び／または光学チャネルの遠位端部内に取り付けられることができる取り外し可能な構造体に添着されることができる。任意選択で、取り外し可能な構造体は、作業チャネルの少なくとも遠位部を形成することができ、この遠位部を通して同軸ケーブルを提供することができる。
【００２３】
好ましくは、器具ケーブルは、その外面上に保護シースを含み、この保護シースは、手術用スコーピングデバイスを通して挿入されるときに器具ケーブルを保護することができる。保護シースは、生体適合性材料から作製されることができる、または生体適合性コーティングを含むことができる。保護シースは、電気手術器具の操舵性の一助となることができる。例えば、保護シースは、遠位部及び近位部を含むことができ、近位部は遠位部よりも大きな剛性を有するように構成される。近位部は、屈曲または変形を妨げるために、追加の硬化層またはブレード加工を含むことができる。
【００２４】
好ましくは、同軸ケーブルは、最内絶縁層を含み、同軸ケーブルの内部導体は、最内絶縁層上に形成される。同軸ケーブルは、いくつかの実施形態では、撮像ケーブルの作業チャネルの壁部に組み込まれることができ、最内絶縁層は、器具チャネルを形成するために中空であることができる。器具チャネルは、１ｍｍから５ｍｍの間の直径を有することができる。あるいは、同軸ケーブルは、少なくとも部分的に、作業チャネル用のライナー（例えば、係脱可能なカバー）として提供されることができる。放射器具先端部は、同軸ケーブルの遠位端部に提供される。
【００２５】
好ましくは、同軸ケーブルは、内部導体に電気的に接続され、最内絶縁層を通って器具チャネル内に延伸する第一端子と、外部導体に電気的に接続され、誘電材料及び最内絶縁層を通って器具チャネル内に延伸する第二端子とを含むことができる。例えば、第一端子は、第二端子から近位に位置していることができる。
【００２６】
放射器具先端部は、同軸ケーブルならびに第一端子及び第二端子に接続する手段を含むことができる。例えば、放射先端部は、第一端子に電気的に接続可能である第一接点と、第二端子に電気的に接続される第二接点と、ＲＦ及び／またはマイクロ波エネルギーを生体組織に送達するために第一接点及び第二接点に電気的に接続される遠位バイポーラ伝送構造体とを含む。好ましくは、遠位バイポーラ伝送構造体は、第一接点に電気的に接続される第一導電素子と、第一接点に電気的に接続される第二導電素子とを含む。任意選択で、第一接点及び第二接点は、バイポーラ伝送構造体の近位に位置している接続カラー上に形成される。
【００２７】
電気手術器具は、臨床医が器具を操作するために提供されるハンドピースをさらに含むことができる。同軸ケーブル及び撮像ケーブルは、ハンドピースに接続され、ハンドピースから離れて遠位方向に延伸することができる。例えば、ハンドピースは、同軸ケーブル及び／または撮像ケーブルの遠位部の配向を制御するために操舵機構を含み、臨床医に器具の遠位端部に対するある程度の制御を提供することができる。
【００２８】
いくつかの実施形態では、ハンドピースは、光源、及び光源から発せられる光を光ファイバ束の近位端部にカップリングするためのカプラを含むことができる。
【００２９】
操舵機構は、ハンドピースの外面上に取り付けられるアクチュエータと、ハンドピース内で摺動するようにアクチュエータに動作可能に結合されるプルアームと、同軸ケーブル及び／または撮像ケーブルに沿って延在する制御要素とを含むことができ、この制御要素は、プルアーム、及び同軸ケーブル及び／または撮像ケーブルの遠位部に動作可能に結合される。制御要素は、プルアームに取り付けられ、その遠位部で同軸ケーブル及び／または撮像ケーブルに固定される１つ以上の制御ワイヤを含むことができる。
【００３０】
好ましくは、ハンドピースは、電源、例えば、充電可能な電源を含むことができる。電源は、電気手術装置の遠位端部でイメージセンサ及び／または光源に電力を供給するために使用されることができる。電源からの電力は、ケーブルまたはワイヤを介してイメージセンサ及び／または光源に伝送されることができる。ケーブルまたはワイヤは、撮像ケーブルを通って延伸することができる。例えば、撮像ケーブルは、同軸ケーブルを受容するための作業チャネルとは別の、ケーブルまたはワイヤを受容するための追加の管腔部を含むことができる。
【００３１】
好ましくは、ハンドピースは、その内部コンポーネントを封入するためにハウジングを含む。いくつかの実施形態では、同軸ケーブル及び／または撮像ケーブルは、ハウジングから係脱可能であることができる。
【００３２】
好ましくは、ハンドピースは、デジタル画像に関連する情報をリモートデバイスに通信するように構成される通信モジュールを含む。例えば、通信モジュールは、無線ネットワークに通信可能に接続可能であるトランシーバを含む。追加で、または代替に、通信モジュールは、画像データをリモートサーバにアップロードするように構成されることができる。
【００３３】
本発明のさらなる態様によれば、電気手術装置が提供される。この装置は、検出された光放射に関連する情報を受信して表示するように構成される表示装置に加えて、上記のような電気手術器具を含む。特に、表示装置は、イメージセンサによってキャプチャされるデジタル画像を表示するように構成されることができる。例えば、表示装置は、ラップトップコンピュータ、タブレットコンピュータまたはスマートフォンであることができる。
【００３４】
本発明のさらなる態様は、ＲＦ及び／またはマイクロ波ＥＭエネルギーを発生するように構成される電気手術用発生器と、上記のような電気手術器具とを含む電気手術システムを提供し、そこで電気手術器具は、ＲＦ及び／またはマイクロ波ＥＭエネルギーを受信してそれを同軸ケーブル内にカップリングするために発生器に接続される。
【００３５】
本明細書に考察される光放射の使用は、治療部位の画像を提供することに限定される必要はない。診断目的で、光放射を使用して、治療部位を探索し、それらの特性を測定することができる。例えば、本発明は、レーザー散乱測定／分光測定、ＵＶ反射率測定／散乱測定などを提供するために使用されることができる。
【００３６】
本明細書では、「マイクロ波」は、４００ＭＨｚ〜１００ＧＨｚの周波数範囲を示すために大まかに使用されることができるが、１ＧＨｚ〜６０ＧＨｚの範囲が好ましい。検討された具体的な周波数は、９１５ＭＨｚ、２．４５ＧＨｚ、３．３ＧＨｚ、５．８ＧＨｚ、１０ＧＨｚ、１４．５ＧＨｚ、及び２４ＧＨｚである。デバイスは、これらのマイクロ波周波数のうちの複数においてエネルギーを送達することができる。対照的に、本明細書では、「高周波」または「ＲＦ」は、少なくとも３桁低い、例えば、３００ＭＨｚまでの、好ましくは１０ＫＨｚ〜１ＭＨｚの周波数範囲を示すために使用する。
【００３７】
本明細書における「導体」または「伝導性」材料への言及は、文脈が別の意味を意図することを明確にしない限り、導電性を意味すると解釈されるべきである。
【００３８】
次に、本発明の実施形態は、例として以下の添付の図面を参照して説明される。
【図面の簡単な説明】
【００３９】
【図１】本発明の一実施形態である、電気手術装置の概略図である。
【図２】第一の組み合わされた視覚及び治療システムの正面図を示す。
【図３】光を光ファイバ束にカップリングするためのカプラの断面図を示す。
【図４】本発明の一実施形態における器具ケーブルの断面図を示す。
【図５】本発明による使用のための器具先端部の断面図である。
【図６】図４の器具先端部の分解図である。
【図７】本発明の一態様に使用されることができる視覚システムの斜視図である。
【図８】第二の組み合わされた治療及び視覚システムの斜視図である。
【発明を実施するための形態】
【００４０】
さらなる選択肢及び選好
図１は、本発明による電気手術装置１００の概略図である。電気手術装置１００は、ハンドピース１０２と、ハンドピース１０２から離れて遠位方向に延伸する可撓性器具ケーブル１０４とを含む。可撓性撮像ケーブルは、治療部位にアクセスするための体内への挿入に適している。可撓性器具ケーブル１０４は、その外面上に生体適合性コーティングを含むことができるため、組織に直接挿入されることができる。器具ケーブル１０４は、経皮的に導入される、または自然孔を介して低侵襲的な方式で導入されることができる。いくつかの例では、器具ケーブル１０４は、気管支鏡、内視鏡、腹腔鏡などのような別個の手術用スコーピングデバイス（図示せず）とともに使用されることができる。他の例では、撮像ケーブルは、ガイドカテーテルを通して導入されることができる。ただし、アクセスするのが困難な身体領域に撮像ケーブルが到達することを可能にするために、撮像ケーブルを直接（すなわち、周囲コンポーネントなしで）挿入することが特に有利であることができる。
【００４１】
本発明における器具ケーブル１０４は、マイクロ波電磁（ＥＭ）エネルギー及び／または高周波（ＲＦ）ＥＭエネルギーを治療部位に搬送すること、及び治療部位の特性を撮像する、または感知する目的で光源に電力を供給するために光放射かエネルギーのいずれかを搬送すること、という２つの機能を有する。以下でより詳細に説明されるように、本発明の器具ケーブル１０４は、これら２つの機能を共通構造体内で組み合わせることにより、これら２つの機能を特にコンパクトな方法で提供する。いくつかの例では、光源に電力を供給するための光放射またはエネルギーを治療部位に、及び／または治療部位から伝達するための光学チャネルは、マイクロ波及び／またはＲＦ電磁（ＥＭ）エネルギーのためのエネルギー伝達手段内に提供されることができる。例えば、光学チャネルは、治療部位の画像をハンドピース１０２から出力することを可能にするために、光信号を治療部位に、そして治療部位から搬送するように構成される観測チャネルとして機能することができる。他の例では、マイクロ波及び／またはＲＦ  ＥＭエネルギーのためのエネルギー伝達構造体は、光信号を治療部位に、そして治療部位から搬送するように構成される光ケーブルを介して作業チャネル内に提供されることができる。これらの例は、以下でより詳細に説明される。
【００４２】
ハンドピースは、画像を表示するための観測ポート（図示せず）を含むことができる。ただし、好ましい構成では、ハンドピース１０２は、画像を別個の表示装置１１６に伝送するように構成されることができる。画像は、無線接続を介して、例えば、ＷｉＦｉまたはいずれかの他の適切なネットワーク通信コンフィグレーションを介して伝送されることができる。表示装置１１６は、画像データを受信することができる表示画面を備える任意のデバイスであることができる。表示装置１１６は、ポータブル、例えば、ラップトップまたはタブレットコンピュータ、スマートフォンなどであることができる。本発明の装置は、表示装置を含むことができるため、本発明の利点は、ローカルディスプレイ設備のない位置で使用されることができる。
【００４３】
電気手術用発生器１１８は、ＲＦ及び／またはマイクロ波エネルギーをハンドピース１０２に搬送するケーブル１２０（例えば、同軸ケーブル）を介してハンドピース１０２に接続される。発生器１１８は、例えば、ＷＯ２０１２／０７６８４４に記載されているタイプのものであることができる。ハンドピース１０２は、ＱＭＡコネクタポートなどであることができる、コネクタポート１１５を含む。コネクタポート１１５は、ケーブル１２０を器具ケーブル１０４内のエネルギー伝達構造体に電気的に接続するように構成されることができる。この電気的接続は、発生器からの同軸ケーブルと、エネルギー伝達構造体の同軸伝送線路との間の「Ｔ」接続によって提供されることができる。好ましくは、器具ポートへのマイクロ波漏れを防ぐために、「Ｔ」ジャンクションと発生器上の器具ポートとの間にフィルタまたはチョークがある。これは、「Ｔ」ジャンクションからのマイクロ波周波数での半波長に配置されなければならず、「Ｔ」ジャンクションは、高い反射損失を有する、すなわち、マイクロ波エネルギーのかなりの部分を反射して発生器に返さない。ＲＦ電圧を短絡させないようにＲＦエネルギーを伝送する場合、エネルギー伝達構造体内の伝送線路の近位端部は開回路である。また、それは、ＲＦ電圧のために故障しない、または操作者を高いＲＦ電圧に曝露させないように、絶縁され保護される。
【００４４】
器具ケーブル１０４は、その遠位端部に放射先端部１０６（または器具先端部）を含み、この放射先端部１０６は、挿入ケーブル１０４内のエネルギー伝達手段からＲＦ及び／またはマイクロ波エネルギーを受信するように構成される。放射先端部１０６は、例えば切断または凝固などの治療を支援するために、受信したＲＦ及び／またはマイクロ波エネルギーを生体組織に送達するエネルギー送達部を含む。
【００４５】
器具ケーブル１０４の遠位端部は、例えば、治療のために所望の位置での放射先端部１０６の位置特定を容易にし、及び／または必要に応じて光放射を向けることができ、例えば、治療部位の異なる部分の画像を取得する、または異なる位置で測定を行うように操舵可能であることができる。以下に説明されるように、いくつかの例では、器具ケーブル１０４は、操舵を容易にするために、１つ以上の制御要素（例えば、プル／プッシュロッドまたは制御ワイヤ）を含むことができる。制御要素は、撮像ケーブルの近位端部から出て、ハンドピース１０２内に取り付けられる操舵機構を係合することができる。操舵機構は、制御要素を伸長させて引き込み、放射先端部で作動を引き起こすように動作可能であることができる。操舵機構は、ハンドピース１０２に取り付けられるアクチュエータを含むことができる。この例では、アクチュエータは回転可能なノブ１１０である。ハウジングに対するノブ１１０の回転は、ハンドピース１０２に取り付けられる適切な変換機構を介して、制御要素（複数可）の直線運動に変換されることができる。
【００４６】
器具ケーブル１０４の近位端部がハンドピース１０２に対して曲げられることができる角度を制限するために、円錐形リストリクタ１１４は、器具ケーブル１０４の近位端部上に嵌められる。円錐形リストリクタ１１４は、ハンドピース１０２の遠位端部に固定されるため、ケーブルの動きを制限して、ケーブルが不必要な応力を受けるのを防ぐ。
【００４７】
ハンドピース１０２は、器具ケーブル１０４内の光学チャネルに沿って伝達されることができる光放射を発生すること、及び制御することに関連するコンポーネントを含むハウジングを備える。例えば、ハンドピース１０２は、電池または他のバッテリなどの電源、発光ダイオード（ＬＥＤ）などの光源、及び所望の方式で光源からの、または治療部位からの光放射を向けるための１つ以上の光学素子を含むことができる。光学素子は、ユーザが使用中に光学素子を制御することを可能にするために、ハウジングの外面上に制御インタフェース１１２を含むことができる。例えば、制御インタフェース１１２は、治療部位に送達される光放射の強度を制御することができる、または１つ以上のレンズが治療部位から受信する画像信号を光学センサ上に結像させるのを支援するように制御することができる。一例では、光検出器（例えば、カメラなど）は、ハンドピース内に取り付けられ、画像信号をキャプチャして表示装置１１６に送信するために治療部位から返される光放射を受信することができる。一例では、光学コンポーネントは、従来のファイバースコープに類似している場合がある。
【００４８】
ハンドピース１０２は、装置を作動させ、停止させるための電源スイッチ（図示せず）を含むことができる。ハンドピース１０２は、電源を外部電源に接続して充電することができる、充電ポート（図示せず）を含むことができる。
【００４９】
図２は、器具ケーブル１０４の遠位端部で組み合わされた治療及び視覚システム１０の正面図を示す。治療及び視覚システム１０は、スコーピングデバイスの器具チャネルを通して挿入可能であることができる放射先端部１０６の中央管腔部内に位置決めされることができる。治療及び視覚システム１０は、臨床医を支援するために、器具ケーブル１０４の遠位端部に照明及び視覚を提供することができる。
【００５０】
治療及び視覚システム１０は、撮像ケーブルを含み、この例では、撮像ケーブルは、器具の遠位端部に照明を提供するように構成される光ファイバ１２の束を含む。光ファイバ１２のサイズ、数及び配列は、最適な照明レベルを確保するように選択されることができる。例えば、光ファイバ１２は、イメージセンサ１４の周りで完全なリングに配列されてもよいし、図２に示されるように主にイメージセンサ１４の１つの側面上に配列されてもよい。好ましい実施形態では、各光ファイバ１２は、２５０μｍの直径を有するが、より小さな光ファイバの使用により、より多くのファイバを放射先端部２００の中央管腔部内に置くことが可能であることができるため、より多くの光を提供することができる。光は、コリメータレンズまたはカプラ、例えば図３に示されるようなカプラを使用して、光ファイバ１２の近位端部にカップリングされることができる。好ましくは可視波長を使用する、任意の適切な光源を使用することができることが想定される。例えば、４１５ｎｍ及び５４０ｎｍの光の組み合わせのような、特定の波長を狭帯域撮像用に選択することができ、追加の撮像法を提供して臨床医が組織の態様をより詳細に確認することを可能にすることに続いて、組織病変または他の異常のより容易な同定を可能にする。
【００５１】
いくつかの実施形態では、レンズは、光ファイバ１２の束の上に位置決めされる。レンズを使用して、用途に応じて、光ファイバ１２から発せられる光を集束する、または拡散することができる。あるいは、光ファイバ１２のそれぞれの遠位端部は、光を所定の方向に向けるように成形されることができる。例えば、光ファイバ１２の遠位端部は、ボールレンズを形成することができる、または必要に応じてテーパ状にされることができる。
【００５２】
イメージセンサ１４は、選択された周波数で光を検出するのに適している任意のチップベースのイメージセンサであることができる。イメージセンサ１４は、電気手術器具の遠位端部で光を受信し、画像を近位端部に送信するように構成される。例えば、ケーブルは、イメージセンサからハンドピース１０２まで延在することができ、そこで画像は、Ｗｉ−Ｆｉなどを介してディスプレイ１１６に送信される。好ましくは、イメージセンサ１４は、ＣＭＯＳセンサであるが、他の適切なピクセルセンサは、ディスプレイ１１６が良好な画像を受信することを確保するように選択されることができる。特に、イメージセンサ１４は、１ｍｍ２以下の表面積を有する４０キロピクセルのＣＭＯＳセンサであることができる。例えば、Ｆｕｊｉｋｕｒａ  Ｌｔｄによって製造されているＰＩＣＯＲＡＭＥＤＩＣ（商標）センサをイメージセンサ１４として選択することができる。
【００５３】
組み合わされた治療及び視覚システム１０の遠位端部は、操舵性を提供することで、撮像される領域に対するより卓越した制御を臨床医にもたらし、器具先端部１０６による正確な治療を確実にするために、好ましくは偏向可能である。一例では、システム１０は、操舵可能なカテーテル、例えば、臨床医に遠位端部に対する制御をもたらす複数の操舵ワイヤを含むカテーテルによって提供されることができる。あるいは、器具ケーブル１０４自体は、遠位端部を偏向させることを可能にするために、複数の操舵ワイヤを含むことができる。システム１０の偏向及び操舵性は、臨床医がハンドピースを操作することによって制御されることができる。
【００５４】
図３は、光ファイバ１２の束を介して器具ケーブル１０４の遠位端部に光を提供するように、電気手術装置１００のハンドピース１０２内に位置決めされることができるカプラ２０の断面図を示す。カプラ２０は、ＬＥＤであることができる、２つの光源２２、２４を含む。各ＬＥＤ２２、２４は、同じ発光スペクトルを有することができる、またはそれらは、特定の波長で光を提供するようにそれぞれ選択されることができる。例えば、ＬＥＤ２２は５４０ｎｍ（緑）の波長を有する光を提供することができ、ＬＥＤ２４は４２５ｎｍ（青）の波長を有する光を提供することができる。これにより、少なくとも２つのモダリティによる狭帯域撮像が可能になり、臨床医が組織の態様をより詳細に確認することを可能にすることに続いて、組織病変または他の異常のより容易な同定を可能にする。各光源２２、２４からの光は、関連しているチャネル２８によって光ファイバ１２の束にカップリングするために出力ポート２６に向けられる。チャネル２８は、光源２２、２４からの光の良好な光伝送を確実にするためにメタライズ加工されることができる。ハンドピース１０２内の回路は、臨床医が必要とする応答に合わせて照明を別々に調整するために、各光源２２、２４のアクティブ化及び減光を提供することができる。
【００５５】
図４は、本発明の一実施形態における器具ケーブル１０４の断面図を示す。この実施形態では、器具ケーブル１０４は、内部導体１１、内部導体１１と同軸に形成される外部導体１３、ならびに内部導体１１及び外部導体１３を分離させる第一誘電材料１５を含む同軸ケーブルを備える。保護シース１７は、器具ケーブル１０４が手術用スコーピングデバイスを通して挿入されるときに同軸ケーブルを保護するために、器具ケーブル１０４の外側に形成される。
【００５６】
内部導体１１は、光学チャネル１５を形成するために中空である。光学チャネル１５は、イメージセンサにエネルギーを供給するために、そしてデジタル画像を電気手術器具のハンドピースに返すために、光ファイバ１２の束、及び１つ以上のワイヤ（図示せず）から形成される撮像ケーブルを搬送する。図４からわかるように、この実施形態では、光ファイバ１２の束は、内部導体１１の内面上にリングを形成する。このようにして、光ファイバ１２の束は、同軸ケーブルの最内絶縁層を効果的に形成することにより、光学チャネルを介するデジタル画像伝送と、器具ケーブル１０４を介して伝達されるＲＦ及び／またはマイクロ波エネルギーとの間の干渉を低減させるのに役立つことができる。
【００５７】
上記のように放射先端部１０６として使用されることができる放射先端部３０の断面図を図５に示す。放射先端部３０の分解図を図６に示す。放射先端部３０は、器具ケーブル１０４の遠位端部に取り付けられるように構成され、そこで器具ケーブル１０４は、ＲＦ及び／またはマイクロ波周波数エネルギーをその近位端部から放射先端部３０に送達する手段を含む。特に、器具ケーブル１０４は、同軸ケーブルなどのエネルギー伝達構造体を提供することができ、そこで同軸ケーブルは、内部導体、外部導体、及び中央管腔部を含む。それにより、放射先端部３０を使用して、電気手術、例えば、焼灼を実施することができる。
【００５８】
放射先端部３０は、器具ケーブル１０４の内部導体に接続される中空の金属シリンダである、内部導体３２を含むバイポーラ構造体である。外部導体３４は、内部導体３２と同軸であり、器具ケーブル１０４内の同軸ケーブルの外部導体に接続される。器具先端部３０の内部導体３２及び外部導体３４は、誘電体シリンダ３６によって分離される。内部導体３２は、誘電体シリンダを通り外部導体３４の遠位端部を越えて長手方向に延在する。放射先端部３０は、焼灼などによって、組織を治療するために、ＲＦ及び／またはマイクロ波周波数エネルギー用の放射アンテナ構造体を提供する。内部導体３２及び外部導体３４のそれぞれは、良好なマイクロ波伝播を確実にするために、好ましくは銀または金を含む。
【００５９】
また、誘電材料３６の形状は、組織へのエネルギーの効率的な送達を達成するように選択されることができる。例えば、誘電体３６は、丸い遠位先端部を有するセラミック材料、ポリエーテルエーテルケトン（ＰＥＥＫ）、またはＰＴＦＥの円筒形部分であることができる。
【００６０】
放射先端部３０の内部導体３２は、器具ケーブル１０４の中央管腔部と同一直線上にある中央管腔部３８を画定する。したがって、中央管腔部３８は、チャネルを提供し、このチャネルを通して、例えば、図２に関して上記に、または図６に関して下記に考察されるように、照明及び視覚を提供する光ケーブルを提供することができる。例えば、中央管腔部３８は、５ｍｍ以下、例えば２ｍｍ以下の直径を有することができる。
【００６１】
また、放射先端部３０は、放射先端部３０の内面及び外面の両方を覆う生体適合性コーティングを含むことができる。放射先端部３０の長さは、所定の動作周波数、例えば、好ましくは５．８ＧＨｚでの４分の１波長であるように好ましくは選択される。スコーピングデバイスを介する挿入のために、そして患者の体内の内腔を通したナビゲーションを可能にするために、長さを最小限にする必要がある。
【００６２】
図７は、器具ケーブル１０４の遠位端部に設けられることができる視覚システム４０の斜視図を示す。視覚システム４０を使用して、視覚及び治療の組み合わせを提供することができ、例えば、第一の視覚システム１０に関して上記に説明されるものと同様の方式で、視覚システム４０を放射先端部（例えば、上記の器具先端部３０）の中央管腔部内に位置決めすることができる。器具ケーブル、撮像ケーブルの光学チャネルを介して、または操舵可能なカテーテルなどのカテーテルを介して、治療部位に送達されることができる独立した照明及び視覚システムとして視覚システム４０を提供することができることもまた想定される。
【００６３】
視覚システム４０は、この実施形態では、イメージセンサ４４の１つの側面に沿って一般に各配列される表面実装型発光ダイオード（ＬＥＤ）として提供される２つの光源４２ａ、４２ｂを含む。光源４２ａ、４２ｂ及びイメージセンサ４４の他の配置は、治療領域の最適な照明を提供するように選択されることができる。イメージセンサ４４は、好ましくは、１ｍｍ２未満の面積を有する４０キロピクセルのＣＭＯＳセンサなどのＣＭＯＳセンサである。光源４２ａ、４２ｂは、上記のように光ファイバの代わりにイメージセンサ４４に照明を提供する。各光源４２ａ、４２ｂは、同じ発光スペクトルを有することができる、または治療領域のマルチモーダル撮像のために異なる波長の光を各提供するように選択されることができる。
【００６４】
ＬＥＤ４２ａ、４２ｂ及びイメージセンサ４４をそれらの相対位置に保持し、器具ケーブルの光学チャネルなどのチャネルを通して視覚システム４０を与えることを可能にするように視覚システム４０を強化する、支持構造体４６を提供する。支持構造体４６は、視覚システム３０のコンポーネントを支持するのに十分に頑強である任意の適切な生体適合性材料から作製されることができる。例えば、支持構造体４０は、ポリカーボネートなどのポリマー材料から作製されることができる。光源４２ａ、４２ｂ及びイメージセンサ４４が取り付けられている開口部は、レーザー切断によって基材に好ましくは提供されることができるが、他の製造方法もまた適していることができる。支持構造体４６は、器具ケーブル１０４の光学チャネル、または上述されるような同軸ケーブルによって形成される光学チャネルを介して、視覚システムを与えることを可能にするために、２ｍｍ未満、例えば、１．６ｍｍ以下の直径を有することができる。
【００６５】
支持構造体４６は、撮像ケーブルを搬送する保護シース４８の遠位端部に提供され、この撮像ケーブルは、この場合、ハンドピース１０２から光源４２ａ、４２ｂ及びイメージセンサ４４にエネルギーを与えるワイヤと、イメージセンサ４４からハンドピース１０２に信号（例えば、画像データ）を搬送してディスプレイに伝送するワイヤとを含む。保護シース４８は、生体適合性材料から好ましくは作製され、シース４８の遠位端部は、ポッティングされて、封止された筐体が作製され、支持構造体４６を通した、または支持構造体４６の周囲への液体またはデブリスの侵入を防ぐ。
【００６６】
視覚システム４０の遠位端部は、操舵性を提供するために好ましくは偏向可能であるため、撮像される領域に対するより卓越した制御を臨床医にもたらす。一例では、システム４０は、操舵可能なカテーテル、例えば、遠位端部に対する制御を臨床医にもたらす複数の操舵ワイヤを含むカテーテルを通して提供されることができる。あるいは、器具ケーブル１０４自体は、遠位端部を偏向させることを可能にするために、複数の操舵ワイヤを含むことができる。システム１０の偏向及び操舵性は、臨床医がハンドピース１０２を操作することによって制御されることができる。いくつかの実施形態では、保護シース４８は、ハンドピース１０２を使用する臨床医によって視覚システム４０を偏向させるように操作されることができる複数の操舵ワイヤを組み込むことができる。
【００６７】
図８は、本発明の一態様による第二の組み合わされた治療及び視覚システム５０の斜視図を示す。治療及び視覚システム５０は、撮像ケーブルの遠位端部に照明を提供するために２つの光源５２ａ、５２ｂを含む。例えば、光源５２ａ、５２ｂは、図７に関して上述されるような発光ダイオード（ＬＥＤ）であることができる。光源５２ａ、５２ｂは、イメージセンサ５４のいずれかの側面に対称に配置されるが、光源５２ａ、５２ｂの任意の配置は、治療領域の最適な照明を提供すると見なされることができる。これらのコンポーネントは、支持構造体５６によって所定の位置に保持される。
【００６８】
支持構造体５６は、光源５２ａ、５２ｂ及びイメージセンサ５４をそれらの所定の位置に保持することを確保するように、組み合わされた治療及び視覚システム５０の遠位端部を強化する。支持構造体５６は、視覚システム５０のコンポーネントを支持するのに十分に頑強である任意の適切な生体適合性材料から作製されることができる。例えば、支持構造体４６は、ポリカーボネートなどのポリマー材料から作製されることができる。光源５２ａ、５２ｂ及びイメージセンサ５４が取り付けられている開口部は、レーザー切断によって基材に好ましくは提供されることができるが、他の製造方法もまた適していることができる。また、支持構造体５６は、器具ケーブル１０４を通る作業チャネルの遠位端部にある開口部５８を画定する。器具ケーブル１０４の作業チャネルを使用して、同軸ケーブルを搬送する、及び／またはツール及び構造体を治療部位に送達することができるため、システム５０が必要に応じて治療をも提供することを可能にする。支持構造体５６は、器具ケーブル１０４を通して作業チャネルを開口部５８に接続する、近位に延在する押し出しセクションを含む。
【００６９】
支持構造体５６は、器具ケーブル１０４の遠位端部に係脱可能に取り付けられることができる。したがって、支持構造体５６は、コンポーネントを臨床医が容易に変更することを可能にする、取り外し可能な構造体を提供することができる。例えば、臨床医は、特定の治療により適している異なるイメージセンサ５４及び／または光源５２ａ、５２ｂを提供するために、支持構造体５６を交換したい場合がある。
【００７０】
いくつかの実施形態では、作業チャネルは、器具ケーブル１０４の遠位端部で電気手術を実施することを可能にすることができる。例えば、同軸ケーブルは、作業チャネルを通して挿入され、電気手術用の開口部５８において放射先端部にＲＦ及び／またはマイクロ波周波数エネルギーを与えることができる。他の例では、作業チャネルは、作業チャネルの側壁部に組み込まれる、及び／または作業チャネル用のライナー（係脱可能なカバーなど）として提供される、エネルギー送達構造体を含むことができる。それらのような実施形態では、エネルギー送達構造体は、最内絶縁層、最内絶縁層上に形成される内部導電層、内部導電層と同軸に形成される外部導電層、ならびに内部導電層及び外部導電層を分離させる誘電層を有する同軸層状構造体を含むことができる。このようにして、エネルギー送達構造体は、ＲＦ及び／またはマイクロ波周波数エネルギーを、開口部５８において、作業チャネルの遠位端部で器具先端部に伝達するための伝送線路を提供することができる。好ましくは、エネルギー伝達構造体は、例えば開口部４８に近接する領域内のその遠位端部に、内部導電層に電気的に接続され、最内絶縁層を通って作業チャネル内に延在する第一端子と、外部導電層に電気的に接続され、誘電層及び最内絶縁層を通って作業チャネル内に延在する第二端子とを含むことができる。第一端子及び第二端子は、作業チャネル内に、または作業チャネルを通して挿入可能である電気手術器具（例えば、放射先端部）上に形成される、対応する接点と電気接続を形成する（例えば、物理的に係合する）ように構成されることができる。第一端子及び第二端子は、それぞれ内部導電層及び外部導電層の遠位端部に、好ましくは開口部４８に近接する領域内に、形成されることができる。外部導電層は、内部導電層よりもさらに遠位方向で長手方向に延伸することができることにより、第一端子は、第二端子から近位に位置している。
【００７１】
図７に示される視覚システムのための器具ケーブル１０４の作業チャネルは、追加で、または代替に、遠位端部での操舵性を提供するカテーテルを受容することができる。例えば、カテーテルは、臨床医が器具ケーブル１０４を操舵することを可能にするために、ハンドピース１０２から作業チャネルの遠位端部に伸長する複数の操舵ワイヤを含むことができる。
【００７２】
作業チャネルに加えて、器具ケーブル１０４は、光源５２ａ、５２ｂ及びイメージセンサ５４に電力を供給するために、ハンドピース１０２から電力を送達するワイヤ及び／またはケーブルを搬送するための光学チャネルを含むことができる。追加の管腔部もまた、表示装置１１６に伝送される画像信号をイメージセンサ５４からハンドピース１０２に伝達するワイヤ及び／またはケーブルを搬送する。
【００７３】
組み合わされた治療及び視覚システム５０の遠位端部は、好ましくは、操舵性を提供するために偏向可能であるため、撮像される領域に対するより卓越した制御を臨床医にもたらし、器具先端部による正確な治療を確実にする。一例では、システム５０は、操舵可能なカテーテル、例えば、遠位端部に対する制御を臨床医にもたらす複数の操舵ワイヤを含むカテーテルを通して提供されることができる。あるいは、器具ケーブル１０４自体は、遠位端部を偏向させることを可能にするために、複数の操舵ワイヤを含むことができる。別の例では、操舵ワイヤは、作業チャネルの壁部に組み込まれ、器具ケーブル１０４の遠位端部での偏向を可能にすることができる。あるいは、作業チャネルは、組み合わされた治療及び視覚システム５０の操舵性を提供するようにガイドワイヤのセクションを調整することができる、関節式またはナックル式のガイドワイヤを受容することができる。好ましくは、システム５０の偏向及び操舵性は、臨床医がハンドピース１０２を操作することによって制御されることができる。
【図１】
2021532887.tif 000003
【図２】
2021532887.tif 000004
【図３】
2021532887.tif 000005
【図４】
2021532887.tif 000006
【図５】
2021532887.tif 000007
【図６】
2021532887.tif 000008
【図７】
2021532887.tif 000009
【図８】
2021532887.tif 000010
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
高周波（ＲＦ）エネルギー及び／またはマイクロ波エネルギーを生体組織に送達する電気手術器具であって、
前記高周波（ＲＦ）エネルギー及び／または前記マイクロ波エネルギーを伝達するための同軸ケーブルであって、前記同軸ケーブルは内部導体、前記内部導体と同軸に形成される外部導体、ならびに前記内部導体及び前記外部導体を分離させる第一誘電材料を含む、前記同軸ケーブルと、
前記同軸ケーブルから前記ＲＦエネルギー及び／または前記マイクロ波エネルギーを受信するために前記同軸ケーブルの遠位端部に配置される放射先端部と、
治療部位のデジタル画像を生成するために前記同軸ケーブルの前記遠位端部に配置されるイメージセンサと、
ハンドピースとを含み、
前記同軸ケーブル及び前記撮像ケーブルは、前記ハンドピースに接続され、前記ハンドピースから離れて延伸し、
前記ハンドピースは、前記デジタル画像に関する情報をリモートデバイスに通信するように構成される通信モジュールを含み、
前記通信モジュールは、無線ネットワークに通信可能に接続可能であるトランシーバを含む、前記電気手術器具。
【請求項２】
前記イメージセンサは、相補型金属酸化物半導体（ＣＭＯＳ）イメージセンサである、請求項１に記載の電気手術器具。
【請求項３】
前記撮像ケーブルは、治療部位に照明を提供するための光ファイバ束を含む、請求項１または請求項２に記載の電気手術器具。
【請求項４】
前記撮像ケーブルの前記遠位端部に取り付けられる光源をさらに含む、請求項１または請求項２に記載の電気手術器具。
【請求項５】
前記光源は発光ダイオードを含む、請求項４に記載の電気手術器具。
【請求項６】
前記同軸ケーブルの前記内部導体は、光学チャネルを形成するために中空であり、
前記撮像ケーブルは、前記光学チャネル内に位置している、請求項１から請求項５のいずれか１項に記載の電気手術器具。
【請求項７】
前記光学チャネルは、前記放射先端部内の孔部を通って延在する、請求項６に記載の電気手術器具。
【請求項８】
前記光学チャネルは、前記放射先端部の外面に形成されるアパーチャで終端する、請求項７に記載の電気手術器具。
【請求項９】
前記同軸ケーブル及び前記撮像ケーブルを搬送するための器具ケーブルを含み、
前記器具ケーブルは前記同軸ケーブルを搬送するための作業チャネルを含む、請求項１から請求項５のいずれか１項に記載の電気手術器具。
【請求項１０】
前記器具ケーブルは、前記撮像ケーブルを搬送するための光学チャネルを含み、
前記光学チャネルは、前記作業チャネルに隣接して延伸する、請求項９に記載の電気手術器具。
【請求項１１】
前記同軸ケーブル及び／または前記撮像ケーブルは、前記ハンドピースから係脱可能である、請求項１から請求項１０のいずれか１項に記載の電気手術器具。
【請求項１２】
前記通信モジュールは、画像データをリモートサーバにアップロードするように構成される、請求項１から請求項１１のいずれか１項に記載の電気手術器具。
【請求項１３】
請求項１から請求項１２のいずれか１項に記載の電気手術器具と、
前記デジタル画像に関する前記情報を受信して表示するように構成される表示装置と、
を含む、電気手術装置。
【請求項１４】
ＲＦ  ＥＭエネルギー及び／またはマイクロ波ＥＭエネルギーを発生するように構成される電気手術用発生器、及び
請求項１から請求項１３のいずれか１項に記載の電気手術器具、
を含む、電気手術システムであって、
前記電気手術器具は前記ＲＦ  ＥＭエネルギー及び／または前記マイクロ波ＥＭエネルギーを受信し、それを前記同軸ケーブルにカップリングするために前記発生器に接続される、前記電気手術システム。
【国際調査報告】
2021532887.tif 000011
2021532887.tif 000012
2021532887.tif 000013